(57)【要約】      （修正有）【課題】設備の使用を容易に把握することが可能な使用管理システム、使用管理装置および使用管理プログラムを提供する。【解決手段】使用管理システム１０１は、複数の設備３Ａ，３Ｂにそれぞれ対応して設けられた複数の設置装置１０Ａ，１０Ｂと、対象者によって携帯され、対象者が使用している設備である使用設備に対応する設置装置から識別情報を取得する携帯装置１１と、携帯装置１１から識別情報を取得し、取得した識別情報に基づいて、対象者による設備の使用履歴を作成する使用管理装置１２とを備える。【選択図】図１
2017102725.tif 000002
【特許請求の範囲】
【請求項１】
複数の設備にそれぞれ対応して設けられた複数の設置装置と、
対象者によって携帯され、前記対象者が使用している前記設備である使用設備に対応する前記設置装置から前記設置装置の識別情報を取得する携帯装置と、
前記携帯装置から前記識別情報を取得し、取得した前記識別情報に基づいて、前記対象者による前記設備の使用履歴を作成する使用管理装置とを備える、使用管理システム。
【請求項２】
前記設置装置は、対応の前記設備についての計測を行い、
前記使用管理装置は、前記使用設備についての前記設置装置の計測結果および前記計測が行われた時刻を判断可能な時間情報をさらに取得し、取得した前記識別情報、前記計測結果および前記時間情報に基づいて前記使用履歴を作成する、請求項１に記載の使用管理システム。
【請求項３】
前記携帯装置は、前記使用設備に対応する前記設置装置との通信接続を確立し、前記通信接続を確立した前記設置装置から前記設置装置の前記識別情報を受信する、請求項１または請求項２に記載の使用管理システム。
【請求項４】
前記設置装置は、前記識別情報を含む無線信号を前記携帯装置へ送信し、
前記設置装置による前記無線信号の送信可能エリアが制限されている、請求項１から請求項３のいずれか１項に記載の使用管理システム。
【請求項５】
前記使用管理システムは、複数の前記対象者によってそれぞれ携帯される複数の前記携帯装置を備え、
前記使用管理装置は、各前記携帯装置から前記識別情報を取得し、取得した各前記識別情報に基づいて、各前記対象者による前記設備の使用履歴を作成する、請求項１から請求項４のいずれか１項に記載の使用管理システム。
【請求項６】
前記使用管理装置は、前記携帯装置の識別情報をさらに取得し、取得した前記設置装置の前記識別情報および前記携帯装置の前記識別情報に基づいて、前記使用履歴を作成する、請求項１から請求項５のいずれか１項に記載の使用管理システム。
【請求項７】
複数の設備にそれぞれ対応して設けられた複数の設置装置のうちの対象者が使用している前記設備である使用設備に対応する前記設置装置から、前記対象者によって携帯される携帯装置が取得した前記設置装置の識別情報を取得する取得部と、
前記取得部によって取得された前記識別情報に基づいて、前記対象者による前記設備の使用履歴を作成する使用履歴作成部とを備える、使用管理装置。
【請求項８】
使用管理装置において用いられる使用管理プログラムであって、コンピュータを、
複数の設備にそれぞれ対応して設けられた複数の設置装置のうちの対象者が使用している前記設備である使用設備に対応する前記設置装置から、前記対象者によって携帯される携帯装置が取得した前記設置装置の識別情報を取得する取得部と、
前記取得部によって取得された前記識別情報に基づいて、前記対象者による前記設備の使用履歴を作成する使用履歴作成部として機能させるための、使用管理プログラム。
【発明の詳細な説明】
【技術分野】
【０００１】
本発明は、使用管理システム、使用管理装置および使用管理プログラムに関し、特に、携帯装置を用いた使用管理システム、使用管理装置および使用管理プログラムに関する。
【背景技術】
【０００２】
従来、設備の使用状況を管理するための管理装置が開発されている。たとえば、特許文献１（特許第４１６０３１５号公報）には以下のような技術が開示されている。
【０００３】
すなわち、管理装置は、ポンプ装置の機側に設けられ、該ポンプ装置の運転状況を記憶し、記憶されたデータをネットワークを通じてホストコンピュータに伝送する機側管理子機を備え、前記機側管理子機から定期的に送られてくるデータを蓄積すると共に、該機側管理子機を備えたポンプ装置の詳細なデータを記憶しているデータベースと、そのデータベースをネットワークからアクセス可能に開示しているホストコンピュータからなるポンプ装置の管理装置であって、前記機側管理子機は、前記運転状況として少なくとも動力線に設けられた電流センサからの電流信号を取り込んで、一時記憶する運転状況データ集計記憶手段と、該運転状況データ集計記憶手段に記憶されているデータを当該ポンプ装置を識別するＩＤ信号と共に前記ホストコンピュータに伝送するデータ伝送手段を備え、前記運転状況データ集計記憶手段に取り込まれるデータは時系列データとしてではない、電流値もしくは電力値をあるレンジ領域に複数分割し、どのレンジ領域でどれだけの時間運転したかという運転時間のデータである。
【先行技術文献】
【特許文献】
【０００４】
【特許文献１】特許第４１６０３１５号公報
【特許文献２】特開２００２−１０３９４８号公報
【発明の概要】
【発明が解決しようとする課題】
【０００５】
ところで、たとえば工場において、作業者がどの設備を使用して作業を行ったかを把握することができれば、効果的な品質管理または工程管理等を行うことができる。
【０００６】
しかしながら、使用した設備を作業者に記録させる等の方法を用いると、余分な手間がかかり、また、作業者が記録することを忘れてしまうことも考えられる。
【０００７】
この発明は、上述の課題を解決するためになされたもので、その目的は、設備の使用を容易に把握することが可能な使用管理システム、使用管理装置および使用管理プログラムを提供することである。
【課題を解決するための手段】
【０００８】
（１）上記課題を解決するために、この発明のある局面に係る使用管理システムは、複数の設備にそれぞれ対応して設けられた複数の設置装置と、対象者によって携帯され、前記対象者が使用している前記設備である使用設備に対応する前記設置装置から前記設置装置の識別情報を取得する携帯装置と、前記携帯装置から前記識別情報を取得し、取得した前記識別情報に基づいて、前記対象者による前記設備の使用履歴を作成する使用管理装置とを備える。
【０００９】
（７）上記課題を解決するために、この発明のある局面に係る使用管理装置は、複数の設備にそれぞれ対応して設けられた複数の設置装置のうちの対象者が使用している前記設備である使用設備に対応する前記設置装置から、前記対象者によって携帯される携帯装置が取得した前記設置装置の識別情報を取得する取得部と、前記取得部によって取得された前記識別情報に基づいて、前記対象者による前記設備の使用履歴を作成する使用履歴作成部とを備える。
【００１０】
（８）上記課題を解決するために、この発明のある局面に係る使用管理プログラムは、使用管理装置において用いられる使用管理プログラムであって、コンピュータを、複数の設備にそれぞれ対応して設けられた複数の設置装置のうちの対象者が使用している前記設備である使用設備に対応する前記設置装置から、前記対象者によって携帯される携帯装置が取得した前記設置装置の識別情報を取得する取得部と、前記取得部によって取得された前記識別情報に基づいて、前記対象者による前記設備の使用履歴を作成する使用履歴作成部として機能させるためのプログラムである。
【００１１】
本発明は、このような特徴的な処理部を備える使用管理装置として実現することができるだけでなく、かかる特徴的な処理をステップとする方法として実現することができる。また、使用管理装置の一部または全部を実現する半導体集積回路として実現することができる。
【発明の効果】
【００１２】
本発明によれば、設備の使用を容易に把握することができる。
【図面の簡単な説明】
【００１３】
【図１】図１は、本発明の第１の実施の形態に係る使用管理システムの構成を示す図である。
【図２】図２は、本発明の第１の実施の形態に係る使用管理システムにおける、設備の作業エリアＷと設置装置の通信可能エリアＣとの関係を示す図である。
【図３】図３は、本発明の第１の実施の形態に係る使用管理システムにおける使用設備管理処理を示すシーケンス図である。
【図４】図４は、本発明の第１の実施の形態に係る使用管理システムにおける、使用管理装置の記憶部が記憶するリストＬの一例を示す図である。
【図５】図５は、本発明の第１の実施の形態に係る使用管理システムにおける履歴作成処理について説明するための図である。
【図６】図６は、本発明の第１の実施の形態に係る使用管理システムにおいて使用管理装置が作成した使用履歴の一例を示す図である。
【図７】図７は、本発明の第１の実施の形態に係る使用管理システムにおいて使用管理装置が作成した使用履歴の他の例を示す図である。
【図８】図８は、本発明の第１の実施の形態に係る使用管理装置の構成を示す図である。
【図９】図９は、本発明の第２の実施の形態に係る使用管理システムにおける使用設備管理処理を示すシーケンス図である。
【図１０】図１０は、本発明の第３の実施の形態に係る使用管理システムにおける使用設備管理処理を示すシーケンス図である。
【図１１】図１１は、本発明の第３の実施の形態に係る使用管理システムにおける、使用管理装置の記憶部が記憶するリストＬｓの一例を示す図である。
【図１２】図１２は、本発明の第３の実施の形態に係る使用管理システムにおける、使用管理装置の記憶部が記憶するテーブルＮの一例を示す図である。
【発明を実施するための形態】
【００１４】
最初に、本発明の実施の形態の内容を列記して説明する。
【００１５】
（１）本発明の実施の形態に係る使用管理システムは、複数の設備にそれぞれ対応して設けられた複数の設置装置と、対象者によって携帯され、前記対象者が使用している前記設備である使用設備に対応する前記設置装置から前記設置装置の識別情報を取得する携帯装置と、前記携帯装置から前記識別情報を取得し、取得した前記識別情報に基づいて、前記対象者による前記設備の使用履歴を作成する使用管理装置とを備える。
【００１６】
このような構成により、携帯装置から設置装置の識別情報を使用管理装置において取得した場合に、対象者が当該設置装置に対応する設備を使用していると判断することができるため、たとえば対象者が使用した設備を自ら記録することなく、設備の使用履歴を作成することができる。したがって、設備の使用を容易に把握することができる。
【００１７】
（２）好ましくは、前記設置装置は、対応の前記設備についての計測を行い、前記使用管理装置は、前記使用設備についての前記設置装置の計測結果および前記計測が行われた時刻を判断可能な時間情報をさらに取得し、取得した前記識別情報、前記計測結果および前記時間情報に基づいて前記使用履歴を作成する。
【００１８】
このような構成により、たとえば、作業者が実際に設備を動作させた期間を把握することができるため、より詳細な使用履歴を作成することができる。
【００１９】
（３）好ましくは、前記携帯装置は、前記使用設備に対応する前記設置装置との通信接続を確立し、前記通信接続を確立した前記設置装置から前記設置装置の前記識別情報を受信する。
【００２０】
このような構成により、対象者が使用していない設備に対応する設置装置の識別情報を当該対象者の携帯装置が取得することを防ぐことができるため、より正確な使用履歴を作成することができる。
【００２１】
（４）好ましくは、前記設置装置は、前記識別情報を含む無線信号を前記携帯装置へ送信し、前記設置装置による前記無線信号の送信可能エリアが制限されている。
【００２２】
このような構成により、たとえば、設備近傍の所定エリアに対象者が位置している場合に限定して、当該設備に対応する設置装置の識別情報を使用管理装置において取得することができるため、より正確な使用履歴を作成することができる。
【００２３】
（５）好ましくは、前記使用管理システムは、複数の前記対象者によってそれぞれ携帯される複数の前記携帯装置を備え、前記使用管理装置は、各前記携帯装置から前記識別情報を取得し、取得した各前記識別情報に基づいて、各前記対象者による前記設備の使用履歴を作成する。
【００２４】
このような構成により、各携帯計測装置の計測結果を用いて、たとえば各設備の全体的な管理を適切に行うことができる。
【００２５】
（６）好ましくは、前記使用管理装置は、前記携帯装置の識別情報をさらに取得し、取得した前記設置装置の前記識別情報および前記携帯装置の前記識別情報に基づいて、前記使用履歴を作成する。
【００２６】
このような構成により、複数の対象者によってそれぞれ携帯された複数の携帯装置から使用管理装置が情報を取得する様な場合において、使用管理装置が取得した各情報を送信元の携帯装置ごとにまとめることができるため、複数の対象者に対応する使用履歴をそれぞれ作成することができる。
【００２７】
（７）本発明の実施の形態に係る使用管理装置は、複数の設備にそれぞれ対応して設けられた複数の設置装置のうちの対象者が使用している前記設備である使用設備に対応する前記設置装置から、前記対象者によって携帯される携帯装置が取得した前記設置装置の識別情報を取得する取得部と、前記取得部によって取得された前記識別情報に基づいて、前記対象者による前記設備の使用履歴を作成する使用履歴作成部とを備える。
【００２８】
このような構成により、携帯装置から設置装置の識別情報を使用管理装置において取得した場合に、対象者が当該設置装置に対応する設備を使用していると判断することができるため、たとえば対象者が使用した設備を自ら記録することなく、設備の使用履歴を作成することができる。したがって、設備の使用を容易に把握することができる。
【００２９】
（８）本発明の実施の形態に係る使用管理プログラムは、使用管理装置において用いられる使用管理プログラムであって、コンピュータを、複数の設備にそれぞれ対応して設けられた複数の設置装置のうちの対象者が使用している前記設備である使用設備に対応する前記設置装置から、前記対象者によって携帯される携帯装置が取得した前記設置装置の識別情報を取得する取得部と、前記取得部によって取得された前記識別情報に基づいて、前記対象者による前記設備の使用履歴を作成する使用履歴作成部として機能させるためのプログラムである。
【００３０】
このような構成により、携帯装置から設置装置の識別情報を使用管理装置において取得した場合に、対象者が当該設置装置に対応する設備を使用していると判断することができるため、たとえば対象者が使用した設備を自ら記録することなく、設備の使用履歴を作成することができる。したがって、設備の使用を容易に把握することができる。
【００３１】
以下、本発明の実施の形態について図面を用いて説明する。なお、図中同一または相当部分には同一符号を付してその説明は繰り返さない。また、以下に記載する実施形態の少なくとも一部を任意に組み合わせてもよい。
【００３２】
＜第１の実施の形態＞
［構成および基本動作］
図１は、本発明の第１の実施の形態に係る使用管理システムの構成を示す図である。
【００３３】
図１を参照して、使用管理システム１０１は、設備３Ａ，３Ｂと、設置装置１０Ａ，１０Ｂと、携帯装置１１と、使用管理装置１２と、アクセスポイント１４とを備える。
【００３４】
以下、設備３Ａ，３Ｂの各々を設備３とも称する。また、設置装置１０Ａ，１０Ｂの各々を設置装置１０とも称する。
【００３５】
この例では、使用管理システム１０１は、設備３および設置装置１０をそれぞれ２個備えているが、より多くの設備３および設置装置１０を備える構成であってもよい。
【００３６】
設備３は、たとえば電気溶接機である。作業者２は、設備３を用いて作業対象物３０に対して溶接作業を行う。設備３は、分電盤１から動力線３３を介して電力の供給を受け、作業者２によって保持されたトーチ３４へ出力線３１を介して電流を出力する。作業者２は、トーチ３４および作業対象物３０間において発生するアーク放電により溶接作業を行う。当該電流は、作業対象物３０およびアース線３２を通って設備３へ戻る。
【００３７】
設置装置１０Ａ，１０Ｂは、設備３Ａ，３Ｂにそれぞれ対応して取り付けられた、たとえば無線通信機能を有する計測装置である。たとえば、設置装置１０は、クランプ型の電流センサを含み、対応の設備３の出力線３１に取り付けられる。なお、設置装置１０は、動力線３３に取り付けられる構成であってもよいし、設備３Ａの筐体内部に取り付けられる構成であってもよい。
【００３８】
設置装置１０は、出力線３１を流れる電流を計測し、計測結果と自己の識別情報とを作業者２によって携帯される携帯装置１１へ送信する。具体的には、たとえば、設置装置１０は、自己の通信可能エリアＣに携帯装置１１が位置する間、出力線３１を流れる電流の計測結果と自己の識別情報とを当該携帯装置１１へ定期的または不定期に送信する。
【００３９】
設置装置１０の通信可能エリアＣは、たとえば、設備３を使用する際に作業者２が位置する作業エリアＷを含むように設定される。
【００４０】
したがって、携帯装置１１は、作業者２が作業エリアＷにおいて設備３を使用している間、つまり作業者２に携帯された携帯装置１１が設置装置１０の通信可能エリアＣに位置している間、当該設置装置１０から当該設置装置１０の識別情報および計測結果を定期的または不定期に取得する。
【００４１】
具体的には、たとえば、携帯装置１１は、作業者２が設備３Ａの作業エリアＷに位置している間、設置装置１０Ａの計測結果と設置装置１０Ａの識別情報とを定期的または不定期に受信する。そして、作業者２が設備３Ｂの作業エリアＷへ移動すると、携帯装置１１は、設置装置１０Ｂの計測結果と設置装置１０Ｂの識別情報とを定期的または不定期に受信する。
【００４２】
以下、対象者である作業者２が使用しようとしているか、または使用中である設備３を使用設備とも称する。
【００４３】
携帯装置１１は、使用設備から計測結果および識別情報を受信すると、受信した計測結果および識別情報と、これらの情報を受信した時刻を示す時間情報とをアクセスポイント１４へたとえば無線により送信する。アクセスポイント１４は、携帯装置１１から受信した各種情報を有線または無線により使用管理装置１２へ送信する。
【００４４】
使用管理装置１２は、使用設備からアクセスポイント１４経由で受信した各種情報に基づいて、作業者２による設備３の使用履歴を作成する。
【００４５】
図２は、本発明の第１の実施の形態に係る使用管理システムにおける、設備の作業エリアＷと設置装置の通信可能エリアＣとの関係を示す図である。
【００４６】
図２は、設備３および当該設備３に対応する設置装置１０を上方から見た図である。図２を参照して、設置装置１０の通信可能エリアＣは、たとえば、設備３の作業エリアＷを含み、かつ作業エリアＷ以外のエリアをできるだけ含まないように設定される。言い換えれば、設置装置１０による無線信号の送信可能エリアは、作業エリアＷ以外のエリアをできるだけ含まないように制限される。
【００４７】
設置装置１０が電波の送信に用いるアンテナは、たとえば指向性アンテナである。たとえば、使用管理システム１０１の管理者は、当該アンテナのメインローブを作業エリアＷの中心付近に向けたり、設置装置１０の電波の送信電力を調整したりすることにより、設置装置１０による無線信号の送信可能エリアを制限する。
【００４８】
図３は、本発明の第１の実施の形態に係る使用管理システムにおける使用設備管理処理を示すシーケンス図である。
【００４９】
使用管理システムにおける各装置は、コンピュータを備え、当該コンピュータにおけるＣＰＵ等の演算処理部は、以下のシーケンスの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【００５０】
携帯装置１１と使用管理装置１２との間でやり取りされる情報はアクセスポイント１４によって中継されるが、説明を簡単にするために、この例ではアクセスポイント１４についての説明を行わない。
【００５１】
また、この例では、設置装置１０は、たとえば、作業者２および携帯装置１１の位置に拘らず、対応の設備３についての計測と、自己の識別情報および計測結果の送信とを定期的または不定期に行う。
【００５２】
図３を参照して、まず、携帯装置１１は、たとえば、作業者２が設備３Ａの作業エリアＷに入ったことにより、設置装置１０Ａの通信可能エリアＣに入ると、設置装置１０Ａから送信された、設置装置１０Ａの識別情報、および設置装置１０Ａの設備３Ａについての計測結果を受信する（ステップＳ３１）。
【００５３】
次に、携帯装置１１は、設置装置１０Ａから受信したこれらの情報と、これらの情報の自己における受信時刻を示す時間情報とを使用管理装置１２へ送信する（ステップＳ３２）。
【００５４】
次に、使用管理装置１２は、設置装置１０Ａの計測結果、設置装置１０Ａの識別情報、および時間情報を携帯装置１１から受信すると、受信したこれらの情報を自己の記憶部に保存する（ステップＳ３３）。具体的には、使用管理装置１２は、記憶部の記憶するリストＬにこれらの情報の内容を追加する。リストＬについては後述する。
【００５５】
使用管理システム１０１は、ステップＳ３１〜Ｓ３３の動作である取得処理ＲＡを、作業者２が設備３Ａの作業エリアＷに位置している間、つまり作業者２に携帯された携帯装置１１が設置装置１０Ａの通信可能エリアＣに位置している間、定期的または不定期に行う。
【００５６】
次に、たとえば、作業者２が設備３Ａの使用を終え、設備３Ｂを使用するために設備３Ｂの作業エリアＷに入ると、携帯装置１１は、設置装置１０Ｂから送信された設置装置１０Ｂの識別情報および設備３Ｂについての計測結果を受信する（ステップＳ３４）。
【００５７】
次に、携帯装置１１は、設置装置１０Ｂの設備３Ｂについての計測結果、および設置装置１０Ｂの識別情報を設置装置１０Ｂから受信すると、受信したこれらの情報と、これらの情報の自己における受信時刻を示す時間情報とを使用管理装置１２へ送信する（ステップＳ３５）。
【００５８】
次に、使用管理装置１２は、設置装置１０Ｂの計測結果、設置装置１０Ｂの識別情報、および時間情報を携帯装置１１から受信すると、受信したこれらの情報を自己の記憶部に保存する（ステップＳ３６）。具体的には、使用管理装置１２は、記憶部の記憶するリストＬにこれらの情報の内容を追加する。
【００５９】
使用管理システム１０１は、ステップＳ３４〜Ｓ３６の動作である取得処理ＲＢを、作業者２が設備３Ｂの作業エリアＷに位置している間、つまり作業者２に携帯された携帯装置１１が設置装置１０Ｂの通信可能エリアＣに位置している間、定期的または不定期に行う。
【００６０】
次に、使用管理装置１２は、たとえば、作成したリストＬに基づいて、後述する履歴作成処理を行うことにより、対象者である作業者２による設備３の使用履歴を作成する（ステップＳ３７）。
【００６１】
図４は、本発明の第１の実施の形態に係る使用管理システムにおける、使用管理装置の記憶部が記憶するリストＬの一例を示す図である。
【００６２】
図４を参照して、リストＬは、設備３についての計測値である「計測結果」と、計測結果の送信元である設置装置１０の「識別情報」と、計測結果および識別情報が携帯装置１１によって受信された時刻を示す「時間情報」とを示す。
【００６３】
すなわち、リストＬは、時間情報の示す時刻と、当該時間情報に対応する、設置装置１０の識別情報と、当該時間情報に対応する、設置装置１０の計測結果とを示す。
【００６４】
また、たとえば、識別情報「ＡＡＡＡ」は、設置装置１０Ａの識別情報であり、識別情報「ＢＢＢＢ」は、設置装置１０Ｂの識別情報である。
【００６５】
ここで、時間情報は、計測が行われた時刻を判断可能な情報である。時間情報の示す時刻は、上述のように、設置装置１０の計測結果等が携帯装置１１によって受信された時刻（以下、受信時刻ｔとも称する。）である。受信時刻ｔは設置装置１０が計測を行った時刻より多少遅くなるが、設置装置１０が計測を行った時刻は受信時刻ｔから推定可能である。
【００６６】
図５は、本発明の第１の実施の形態に係る使用管理システムにおける履歴作成処理について説明するための図である。
【００６７】
以下、図５を用いて、履歴作成処理Ａおよび履歴作成処理Ｂの２つの履歴作成処理について説明する。使用管理装置１２は、履歴作成処理Ａおよび履歴作成処理Ｂのいずれか一方または両方を行うことができる。
【００６８】
図５は、リストＬに基づいて作成された図であり、時間情報の示す時刻と、計測結果である計測電流および識別情報との関係の一例を示している。
【００６９】
図５を参照して、使用管理装置１２は、時刻ｔ１から時刻ｔ４までの期間Ｔ１において設置装置１０Ａの識別情報および計測結果を取得し、時刻ｔ５から時刻ｔ８までの時刻Ｔ５において設置装置１０Ｂの識別情報および計測結果を取得した。
【００７０】
［履歴作成処理Ａ］
使用管理装置１２は、履歴作成処理Ａとして、識別情報および時間情報に基づいて、かつ計測結果に基づかずに、作業者２による設備３の使用履歴を作成する。以下、履歴作成処理Ａについて説明する。
【００７１】
まず、使用管理装置１２は、取得した識別情報に基づいて、作業者２が、設備３Ａの作業エリアＷに位置した期間と、設備３Ｂの作業エリアＷに位置した期間とを認識する。
【００７２】
具体的には、使用管理装置１２は、設置装置１０Ａの識別情報を取得した時刻ｔ１から時刻ｔ４までの期間Ｔ１において作業者２が設備３Ａの作業エリアＷに位置し、設置装置１０Ｂの識別情報を取得した時刻ｔ５から時刻ｔ８までの期間Ｔ５において作業者２が設備３Ｂの作業エリアＷに位置したと認識する。
【００７３】
使用管理装置１２は、たとえば、作業者２は作業エリアＷに位置している間において当該作業エリアＷに対応する設備３を使用していたと推定する。
【００７４】
具体的には、使用管理装置１２は、作業者２が、時刻ｔ１から時刻ｔ４までの期間Ｔ１において設備３Ａを使用し、時刻ｔ５から時刻ｔ８までの期間Ｔ５において設備３Ｂを使用したと推定する。
【００７５】
そして、使用管理装置１２は、この推定内容に基づいて、たとえば図６に示すような使用履歴を作成する。
【００７６】
図６は、本発明の第１の実施の形態に係る使用管理システムにおいて使用管理装置が作成した使用履歴の一例を示す図である。
【００７７】
図６を参照して、使用履歴であるリストＵＲ１は、「期間」と、対象者である作業者２が「使用した設備」とを示している。具体的には、リストＵＲ１は、作業者２が、時刻ｔ１から時刻ｔ４までの期間Ｔ１において設備３Ａを使用し、時刻ｔ５から時刻ｔ８までの期間Ｔ５において設備３Ｂを使用したことを示している。
【００７８】
［履歴作成処理Ｂ］
また、使用管理装置１２は、履歴作成処理Ｂとして、識別情報、計測結果および時間情報に基づいて、作業者２による設備３の使用履歴を作成する。以下、履歴作成処理Ｂについて説明する。
【００７９】
再び図５を参照して、使用管理装置１２が取得した設置装置１０Ａの計測電流は、所定値Ｃｔｈ未満の状態から時刻ｔ２において所定値Ｃｔｈ以上の状態となり、時刻ｔ３において所定値Ｃｔｈ未満の状態となった。また、使用管理装置１２が取得した設置装置１０Ｂの計測電流は、所定値Ｃｔｈ未満の状態から時刻ｔ６において所定値Ｃｔｈ以上の状態となり、時刻ｔ７において所定値Ｃｔｈ未満の状態となった。
【００８０】
所定値Ｃｔｈは、たとえば、携帯装置１１が計測する可能性があるノイズの最大値である。
【００８１】
使用管理装置１２は、設置装置１０の計測電流が所定値Ｃｔｈ以上であった期間において作業者２が当該設置装置１０に対応する設備３を使用したと判断する。
【００８２】
具体的には、使用管理装置１２は、設置装置１０Ａによる計測電流が所定値Ｃｔｈ以上であった時刻ｔ２から時刻ｔ３までの期間Ｔ２において作業者２が設備３Ａを使用したと判断する。また、使用管理装置１２は、設置装置１０Ｂによる計測電流が所定値Ｃｔｈ以上であった時刻ｔ６から時刻ｔ７までの期間Ｔ６において作業者２が設備３Ｂを使用したと判断する。
【００８３】
そして、使用管理装置１２は、この判断結果に基づいて、たとえば図７に示すような使用履歴を作成する。
【００８４】
図７は、本発明の第１の実施の形態に係る使用管理システムにおいて使用管理装置が作成した使用履歴の他の例を示す図である。
【００８５】
図７を参照して、使用履歴であるリストＵＲ２は、「期間」と、対象者である作業者２が「使用した設備」とを示している。具体的には、リストＵＲ２は、作業者２が、時刻ｔ２から時刻ｔ３までの期間Ｔ２において設備３Ａを使用し、時刻ｔ６から時刻ｔ７までの期間Ｔ６において設備３Ｂを使用したことを示している。
【００８６】
図８は、本発明の第１の実施の形態に係る使用管理装置の構成を示す図である。
【００８７】
図８を参照して、使用管理装置１２は、取得部５１と、処理部（使用履歴作成部）５２と、出力部５３と、記憶部５４とを備える。
【００８８】
取得部５１は、携帯装置１１から送信された設置装置１０の識別情報、設置装置１０の計測結果、および時間情報を取得し、取得したこれらの情報を処理部５２へ出力する。
【００８９】
処理部５２は、取得部５１から受けた設置装置１０の識別情報、設置装置１０の計測結果、および時間情報を記憶部５４に保存する。具体的には、処理部５２は、これらの情報の内容を記憶部５４が記憶するリストＬに追加する。
【００９０】
処理部５２は、取得部５１によって取得された設置装置１０の識別情報および時間情報に基づいて、かつ計測結果に基づかずに、作業者２による設備３の使用履歴を作成する。
【００９１】
具体的には、たとえば、処理部５２は、記憶部５４の記憶するリストＬに基づいて上述の履歴作成処理Ａを行うことにより、作業者２による設備３の使用履歴を作成する。そして、処理部５２は、作成した使用履歴を出力部５３へ出力する。
【００９２】
あるいは、処理部５２は、取得部５１によって取得された設置装置１０の識別情報、設置装置１０の計測結果、および時間情報に基づいて、対象者である作業者２による設備３の使用履歴を作成する。
【００９３】
具体的には、たとえば、処理部５２は、記憶部５４の記憶するリストＬに基づいて上述の履歴作成処理Ｂを行うことにより、作業者２による設備３の使用履歴を作成する。そして、処理部５２は、作成した使用履歴を出力部５３へ出力する。
【００９４】
出力部５３は、処理部５２から受けた使用履歴を、たとえば使用管理装置１２に接続されたディスプレイに表示する制御を行う。
【００９５】
なお、本発明の第１の実施の形態に係る使用管理システム１０１では、設置装置１０は、自己の識別情報および計測結果の両方を携帯装置１１へ送信する構成であるとしたが、これに限定するものではない。たとえば、設置装置１０は、自己の識別情報を携帯装置１１へ送信し、計測結果を、携帯装置１１を介さずに、アクセスポイント１４へ直接送信する構成であってもよい。
【００９６】
また、本発明の第１の実施の形態に係る使用管理システム１０１では、設置装置１０は電流を計測する構成であるとしたが、これに限定するものではなく、たとえば何らかの物理量を計測する構成であればよい。「物理量」には、電流、電力、電圧および振動等が含まれる。
【００９７】
たとえば、設置装置１０は、設備３の電力を計測する構成であってもよいし、設備３の電圧を計測する構成であってもよいし、設備３の振動を計測する構成であってもよい。
【００９８】
また、本発明の第１の実施の形態に係る使用管理システム１０１では、時間情報は、携帯装置１１が計測結果を受信した時刻を示す情報であるとしたが、これに限定するものではない。
【００９９】
たとえば、時間情報は、アクセスポイント１４が設置装置１０の識別情報および計測結果を受信または送信した時刻を示す情報であってもよい。また、時間情報は、使用管理装置１２が識別情報および計測結果を受信した時刻であってもよい。この場合、使用管理装置１２は、たとえば、識別情報および計測結果を受信したタイミングにおける、自己の内部時計が示す時刻を時間情報として取得する。また、時刻情報は、時刻に限らず、計測が行われた時刻を判断可能な何らかのタイミングを示す情報であってもよい。
【０１００】
また、本発明の第１の実施の形態に係る使用管理システム１０１では、使用管理装置１２は、設置装置１０の識別情報に基づいて、かつ時間情報に基づかずに、作業者２による設備３の使用履歴を作成する構成であってもよい。この場合、使用管理装置１２は、図６に示す使用履歴と比べて、「期間」の列を含まない使用履歴を作成する。
【０１０１】
ところで、たとえば工場において、作業者がどの設備を使用して作業を行ったかを把握することができれば、効果的な品質管理または工程管理等を行うことができる。
【０１０２】
しかしながら、使用した設備を作業者に記録させる等の方法を用いると、余分な手間がかかり、また、作業者が記録することを忘れてしまうことも考えられる。
【０１０３】
これに対して、本発明の第１の実施の形態に係る使用管理システムでは、複数の設置装置１０が、複数の設備３にそれぞれ対応して設けられる。携帯装置１１は、作業者２である対象者によって携帯され、当該対象者が使用している設備３である使用設備に対応する設置装置１０から当該設置装置１０の識別情報を取得する。使用管理装置１２は、携帯装置１１から識別情報を取得し、取得した識別情報に基づいて、対象者による設備３の使用履歴を作成する。
【０１０４】
また、本発明の第１の実施の形態に係る使用管理装置では、取得部５１は、複数の設備３にそれぞれ対応して設けられた複数の設置装置１０のうちの対象者が使用している設備３である使用設備に対応する設置装置１０から、対象者によって携帯される携帯装置１１が取得した設置装置１０の識別情報を取得する。処理部５２は、取得部５１によって取得された識別情報に基づいて、対象者による設備３の使用履歴を作成する。
【０１０５】
このような構成により、携帯装置１１から設置装置１０の識別情報を使用管理装置１２において取得した場合に、対象者が当該設置装置１０に対応する設備３を使用していると判断することができるため、たとえば対象者が使用した設備３を自ら記録することなく、設備３の使用履歴を作成することができる。
【０１０６】
したがって、本発明の第１の実施の形態に係る使用管理システムおよび使用管理装置では、設備の使用を容易に把握することができる。
【０１０７】
また、本発明の第１の実施の形態に係る使用管理システムでは、設置装置１０は、対応の設備３についての計測を行う。使用管理装置１２は、使用設備についての設置装置１０の計測結果および上記計測が行われた時刻を判断可能な時間情報をさらに取得し、取得した識別情報、計測結果および時間情報に基づいて使用履歴を作成する。
【０１０８】
このような構成により、たとえば、作業者が実際に設備３を動作させた期間を把握することができるため、より詳細な使用履歴を作成することができる。
【０１０９】
また、本発明の第１の実施の形態に係る使用管理システムでは、設置装置１０は、識別情報を含む無線信号を携帯装置１１へ送信する。設置装置１０による無線信号の送信可能エリアは、制限されている。
【０１１０】
このような構成により、たとえば、設備３近傍の所定エリアに対象者が位置している場合に限定して、当該設備３に対応する設置装置１０の識別情報を使用管理装置１２において取得することができるため、より正確な使用履歴を作成することができる。
【０１１１】
また、本発明の第１の実施の形態に係る使用管理システムは、複数の対象者によってそれぞれ携帯される複数の携帯装置１１を備える。使用管理装置１２は、各携帯装置１１から識別情報を取得し、取得した各識別情報に基づいて、各対象者による設備３の使用履歴を作成する。
【０１１２】
このような構成により、各携帯計測装置の計測結果を用いて、たとえば各設備３の全体的な管理を適切に行うことができる。
【０１１３】
次に、本発明の他の実施の形態について図面を用いて説明する。なお、図中同一または相当部分には同一符号を付してその説明は繰り返さない。
【０１１４】
＜第２の実施の形態＞
本実施の形態は、本発明の第１の実施の形態に係る使用管理システムと比べて、携帯装置による情報の取得手順が異なる使用管理システムに関する。以下で説明する内容以外は、第１の実施の形態に係る使用管理システムと同様である。
【０１１５】
図９は、本発明の第２の実施の形態に係る使用管理システムにおける使用設備管理処理を示すシーケンス図である。
【０１１６】
本発明の第２の実施の形態に係る使用管理システムである使用管理システム１０２では、携帯装置１１と使用管理装置１２との間でやり取りされる情報はアクセスポイント１４によって中継されるが、説明を簡単にするために、この例ではアクセスポイント１４についての説明を行わない。
【０１１７】
図９を参照して、まず、作業者２は、設備３Ａを使用するために設備３Ａの作業エリアＷに入った後、自己の携帯装置１１に対して所定の操作を行い、当該携帯装置１１と設置装置１０Ａとの通信接続を確立する（ステップＳ１１）。
【０１１８】
設置装置１０Ａは、携帯装置１１との通信接続が確立されると、設備３Ａについての計測を行い、計測結果および自己の識別情報を携帯装置１１へ送信する（ステップＳ１２）。
【０１１９】
つまり、携帯装置１１は、使用設備である設備３Ａに対応する設置装置１０Ａとの通信接続を確立し、通信接続を確立した設置装置１０Ａから設置装置１０Ａの計測結果および識別情報を受信する。なお、設置装置１０Ａは、携帯装置１１との通信接続の有無に拘らず、設備３Ａについての計測を継続的に行う構成であってもよい。
【０１２０】
次に、携帯装置１１は、受信したこれらの情報と、これらの情報の受信時刻を示す時間情報とを使用管理装置１２へ送信する（ステップＳ１３）。
【０１２１】
次に、使用管理装置１２は、携帯装置１１から設置装置１０Ａの計測結果、設置装置１０Ａの識別情報、および時間情報を受信すると、受信したこれらの情報を自己の記憶部に保存する（ステップＳ１４）。具体的には、使用管理装置１２は、リストＬにこれらの情報の内容を追加する。
【０１２２】
使用管理システム１０１は、ステップＳ１２〜Ｓ１４の動作である取得処理ＲＡを、作業者２が設備３Ａの作業エリアＷに位置している間、つまり作業者２に携帯された携帯装置１１が設置装置１０Ａの通信可能エリアＣに位置している間、定期的または不定期に行う。
【０１２３】
作業者２は、たとえば、設備３Ａの使用を終えると、自己の携帯装置１１に対して所定の操作を行い、当該携帯装置１１と設置装置１０Ａとの通信接続を切断する（ステップＳ１５）。
【０１２４】
次に、作業者２は、たとえば設備３Ｂを使用するために設備３Ｂの作業エリアＷに入った後、自己の携帯装置１１に対して所定の操作を行い、当該携帯装置１１と設置装置１０Ｂとの通信接続を確立する（ステップＳ１６）。
【０１２５】
設置装置１０Ｂは、携帯装置１１との通信接続が確立されると、設備３Ｂについての計測を行い、計測結果および自己の識別情報を携帯装置１１へ送信する（ステップＳ１７）。
【０１２６】
次に、携帯装置１１は、設置装置１０Ｂの計測結果および設置装置１０Ｂの識別情報を設置装置１０Ｂから受信すると、受信したこれらの情報と、これらの情報の受信時刻を示す時間情報とを使用管理装置１２へ送信する（ステップＳ１８）。
【０１２７】
次に、使用管理装置１２は、携帯装置１１から設置装置１０Ｂの計測結果、設置装置１０Ｂの識別情報、および時間情報を受信すると、受信したこれらの情報を自己の記憶部に保存する（ステップＳ１９）。具体的には、使用管理装置１２は、リストＬにこれらの情報の内容を追加する。
【０１２８】
使用管理システム１０１は、ステップＳ１７〜Ｓ１９の動作である取得処理ＲＢを、作業者２が設備３Ｂの作業エリアＷに位置している間、つまり作業者２に携帯された携帯装置１１が設置装置１０Ｂの通信可能エリアＣに位置している間、定期的または不定期に行う。
【０１２９】
作業者２は、たとえば、設備３Ｂの使用を終えると、自己の携帯装置１１に対して所定の操作を行い、当該携帯装置１１と設置装置１０Ｂとの通信接続を切断する（ステップＳ２０）。
【０１３０】
次に、使用管理装置１２は、たとえば、作成したリストＬに基づいて、図５を用いて説明した履歴作成処理（ステップＳ２１）を行う。
【０１３１】
なお、本発明の第２の実施の形態に係る使用管理システム１０２では、設置装置１０は、自己の識別情報を携帯装置１１へ定期的または不定期に送信する構成であるとしたが、これに限定するものではない。たとえば、設置装置１０は、自己の識別情報を、携帯装置１１との通信接続を確立する際に当該携帯装置１１へ送信し、通信接続の確立後においては送信しない構成であってもよい。
【０１３２】
また、本発明の第２の実施の形態に係る使用管理システム１０２では、携帯装置１１は、
作業者２の操作を受けて設置装置１０との通信接続を確立する構成であるとしたが、これに限定するものではない。たとえば、携帯装置１１は、作業者２が設備３Ａの作業エリアＷに入った場合、すなわち自己が設置装置１０Ａの通信可能エリアＣに入った場合に、自動的に設置装置１０Ａとの通信接続を確立してもよい。
【０１３３】
以上のように、本発明の第２の実施の形態に係る使用管理システムでは、携帯装置１１は、使用設備に対応する設置装置１０との通信接続を確立し、通信接続を確立した設置装置１０から当該設置装置１０の識別情報を受信する。
【０１３４】
このような構成により、対象者が使用していない設備３に対応する設置装置１０の識別情報を当該対象者の携帯装置１１が取得することを防ぐことができるため、より正確な使用履歴を作成することができる。
【０１３５】
その他の構成および動作は第１の実施の形態に係る使用管理システムと同様であるため、ここでは詳細な説明を繰り返さない。
【０１３６】
次に、本発明の他の実施の形態について図面を用いて説明する。なお、図中同一または相当部分には同一符号を付してその説明は繰り返さない。
【０１３７】
＜第３の実施の形態＞
本実施の形態は、本発明の第１の実施の形態に係る使用管理システムと比べて、複数の携帯装置を備える使用管理システムに関する。以下で説明する内容以外は、第１の実施の形態に係る使用管理システムと同様である。
【０１３８】
本発明の第３の実施の形態に係る使用管理システムである使用管理システム１０３は、複数の携帯装置１１を備える。各携帯装置１１は、複数の作業者２によってそれぞれ携帯される。
【０１３９】
図１０は、本発明の第３の実施の形態に係る使用管理システムにおける使用設備管理処理を示すシーケンス図である。
【０１４０】
使用管理システム１０３では、携帯装置１１と使用管理装置１２との間でやり取りされる情報はアクセスポイント１４によって中継されるが、説明を簡単にするために、この例ではアクセスポイント１４についての説明を行わない。また、上述のように、使用管理システム１０３は、複数の作業者２によってそれぞれ携帯された複数の携帯装置１１を備えるが、この例では、１人の作業者２および当該作業者２に携帯された携帯装置１１に着目して説明する。
【０１４１】
図１０を参照して、まず、携帯装置１１は、たとえば、作業者２が設備３Ａの作業エリアＷに入ったことにより、設置装置１０Ａの通信可能エリアＣに入ると、設置装置１０Ａから送信された、設置装置１０Ａの識別情報、および設置装置１０Ａの設備３Ａについての計測結果を受信する（ステップＳ１３１）。
【０１４２】
次に、携帯装置１１は、設置装置１０Ａから受信したこれらの情報と、これらの情報の自己における受信時刻を示す時間情報と、自己の識別情報である携帯識別情報とを使用管理装置１２へ送信する（ステップＳ１３２）。
【０１４３】
次に、使用管理装置１２は、設置装置１０Ａの計測結果、設置装置１０Ａの識別情報、時間情報、および携帯識別情報を携帯装置１１から受信すると、受信したこれらの情報を自己の記憶部に保存する（ステップＳ１３３）。具体的には、使用管理装置１２は、記憶部の記憶するリストＬｓにこれらの情報の内容を追加する。リストＬｓについては後述する。
【０１４４】
使用管理システム１０３は、ステップＳ１３１〜Ｓ１３３の動作である取得処理ＲＡを、作業者２が設備３Ａの作業エリアＷに位置している間、つまり作業者２に携帯された携帯装置１１が設置装置１０Ａの通信可能エリアＣに位置している間、定期的または不定期に行う。
【０１４５】
次に、たとえば、作業者２が設備３Ａの使用を終え、設備３Ｂを使用するために設備３Ｂの作業エリアＷに入ると、携帯装置１１は、設置装置１０Ｂから送信された設置装置１０Ｂの識別情報および設備３Ｂについての計測結果を受信する（ステップＳ１３４）。
【０１４６】
次に、携帯装置１１は、設置装置１０Ｂの設備３Ｂについての計測結果、および設置装置１０Ｂの識別情報を設置装置１０Ｂから受信すると、受信したこれらの情報と、これらの情報の自己における受信時刻を示す時間情報と、自己の識別情報である携帯識別情報とを使用管理装置１２へ送信する（ステップＳ１３５）。
【０１４７】
次に、使用管理装置１２は、設置装置１０Ｂの計測結果、設置装置１０Ｂの識別情報、時間情報、および携帯識別情報を携帯装置１１から受信すると、受信したこれらの情報を自己の記憶部に保存する（ステップＳ１３６）。具体的には、使用管理装置１２は、記憶部の記憶するリストＬｓにこれらの情報の内容を追加する。リストＬｓについては後述する。
【０１４８】
使用管理システム１０１は、ステップＳ１３４〜Ｓ１３６の動作である取得処理ＲＢを、作業者２が設備３Ｂの作業エリアＷに位置している間、つまり作業者２に携帯された携帯装置１１が設置装置１０Ｂの通信可能エリアＣに位置している間、定期的または不定期に行う。
【０１４９】
次に、使用管理装置１２は、作成したリストＬｓに基づいて、携帯装置１１ごとにリストＬを作成する。使用管理装置１２が作成したリストＬは、たとえば図４に示したリストＬと同様の構成である。
【０１５０】
また、使用管理装置１２は、自己の記憶部が記憶するテーブルＮを参照することにより、携帯装置１１がどの作業者２によって携帯されているかを認識する。テーブルＮについては後述する。
【０１５１】
そして、使用管理装置１２は、作成した複数のリストＬにそれぞれ基づいて、上述の履歴作成処理を行うことにより、複数の作業者２についての使用履歴をそれぞれ作成する（ステップＳ１３７）。
【０１５２】
図１１は、本発明の第３の実施の形態に係る使用管理システムにおける、使用管理装置の記憶部が記憶するリストＬｓの一例を示す図である。
【０１５３】
図１１を参照して、リストＬｓは、設備３についての計測値である「計測結果」と、計測を行った設置装置１０の「識別情報」と、計測結果および識別情報が携帯装置１１によって受信された時刻を示す「時間情報」と、携帯装置の識別情報である「携帯識別情報」とを示す。
【０１５４】
図１２は、本発明の第３の実施の形態に係る使用管理システムにおける、使用管理装置の記憶部が記憶するテーブルＮの一例を示す図である。
【０１５５】
図１２を参照して、たとえば、携帯識別情報が「ＬＬＬ」である携帯装置１１は、「Ａｂｃ」という名前の作業者２によって携帯されている。テーブルＮは、たとえば、使用管理装置１２における記憶部５４に記憶されている。
【０１５６】
図８は、本発明の第３の実施の形態に係る使用管理装置の構成も示している。
【０１５７】
図８を参照して、取得部５１は、携帯装置１１から送信された設置装置１０の識別情報、設置装置１０の計測結果、時間情報および携帯識別情報を取得し、取得したこれらの情報を処理部５２へ出力する。
【０１５８】
処理部５２は、取得部５１から受けた設置装置１０の識別情報、設置装置１０の計測結果、時間情報および携帯識別情報を記憶部５４に保存する。具体的には、処理部５２は、これらの情報の内容を記憶部５４が記憶するリストＬｓに追加する。
【０１５９】
処理部５２は、設置装置１０の識別情報および携帯装置１１の識別情報に基づいて、作業者２による設備３の使用履歴を作成する。具体的には、処理部５２は、記憶部５４が記憶するリストＬｓに基づいて、携帯装置１１ごとにリストＬを作成する。
【０１６０】
また、処理部５２は、記憶部５４が記憶するテーブルＮを参照することにより、携帯装置１１がどの作業者２によって携帯されているかを認識する。
【０１６１】
そして、処理部５２は、作成した複数のリストＬにそれぞれ基づいて、上述の履歴作成処理を行うことにより、複数の作業者２についての使用履歴をそれぞれ作成する。
【０１６２】
処理部５２は、各使用履歴と各使用履歴に対応する作業者２の名前とを出力部５３へ出力する。
【０１６３】
出力部５３は、たとえば、使用管理装置１２に接続されたディスプレイに、処理部５２から受けた各使用履歴と各作業者２の名前とを、これらの対応関係を認識可能に表示する制御を行う。
【０１６４】
以上のように、本発明の第３の実施の形態に係る使用管理システムでは、使用管理装置１２は、携帯装置１１の識別情報をさらに取得し、取得した設置装置１０の識別情報および携帯装置１１の識別情報に基づいて、使用履歴を作成する。
【０１６５】
このような構成により、複数の作業者２つまり複数の対象者によってそれぞれ携帯された複数の携帯装置１１から使用管理装置１２が情報を取得する様な場合において、使用管理装置１２が取得した各情報を送信元の携帯装置１１ごとにまとめることができるため、各対象者に対応する使用履歴を作成することができる。
【０１６６】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１６７】
以上の説明は、以下に付記する特徴を含む。
【０１６８】
［付記１］
複数の設備にそれぞれ対応して設けられた複数の設置装置と、
対象者によって携帯され、前記対象者が使用している前記設備である使用設備に対応する前記設置装置から前記設置装置の識別情報を取得する携帯装置と、
前記携帯装置が前記識別情報を取得した時刻を示す時間情報および前記識別情報を前記携帯装置から取得し、取得した前記時間情報および前記識別情報に基づいて、前記対象者による前記設備の使用履歴を作成する使用管理装置とを備える、使用管理システム。
【符号の説明】
【０１６９】
１  分電盤
２  作業者
３，３Ａ，３Ｂ  設備
１０，１０Ａ，１０Ｂ  設置装置
１１  携帯装置
１２  使用管理装置
１４  アクセスポイント
３０  対象物
３１  出力線
３２  アース線
３３  動力線
３４  トーチ
５１  取得部
５２  処理部
５３  出力部
５４  記憶部
１０１，１０２  使用管理システム
【図１】
2017102725.tif 000003
【図２】
2017102725.tif 000004
【図３】
2017102725.tif 000005
【図４】
2017102725.tif 000006
【図５】
2017102725.tif 000007
【図６】
2017102725.tif 000008
【図７】
2017102725.tif 000009
【図８】
2017102725.tif 000010
【図９】
2017102725.tif 000011
【図１０】
2017102725.tif 000012
【図１１】
2017102725.tif 000013
【図１２】
2017102725.tif 000014